(57)【要約】    【課題】ビニルハウスの妻面に形成した出入口に取付けられる吊戸式引き戸の開閉動作をガイドするための引き戸用下レールであって、必要に応じて簡単に取り外すことのできる吊戸式引き戸用の下レール構造を提供する。    【解決手段】長手方向に連結して前記下レールを構成する複数の分割レールと、各分割レール同士を着脱自在に連結する連結具とを具備するビニルハウスの引き戸用下レール構造とした。また、少なくとも前記出入口の間口に配置される所定長さの分割レールを備え、当該分割レールを前記出入口の直下に着脱自在に配設した。さらに、前記連結具は、前記分割レール同士の突合せ部分を抱持可能とした連結具本体と、この連結具本体内で前記一組の分割レールを押圧保持する固定具とを具備することとした。【選択図】      図４
0003104012.tif 000002
【実用新案登録請求の範囲】
【請求項１】
ビニルハウスの妻面に形成した出入口に取付けられる吊戸式引き戸の開閉動作をガイドするための引き戸用下レールであって、
長手方向に連結して前記下レールを構成する複数の分割レールと、
各分割レール同士を着脱自在に連結する連結具と、
を具備することを特徴とするビニルハウスの引き戸用下レール構造。
【請求項２】
少なくとも前記出入口の間口に配置される所定長さの分割レールを備え、当該分割レールを前記出入口の直下に着脱自在に配設したことを特徴とする請求項１記載のビニルハウスの引き戸用下レール構造。
【請求項３】
前記連結具は、前記分割レール同士の突合せ部分を抱持可能とした連結具本体と、この連結具本体内で前記一組の分割レールを押圧保持する固定具とを具備することを特徴とする請求項１又は２に記載のビニルハウスの引き戸用下レール構造。
【請求項４】
前記連結具本体は、底壁の両端からそれぞれ側壁を立設した略チャンネル形状をなし、一方の側壁に肉厚部を形成するとともに、この肉厚部に所定間隔をあけて設けた螺孔を有し、前記固定具は、前記螺孔に螺合して前記連結具本体内の分割レールを他方の側壁側に押圧可能とした螺軸であることを特徴とする請求項３記載のビニルハウスの引き戸用下レール構造。
【考案の詳細な説明】
【技術分野】
【０００１】
この考案は、ビニルハウスの妻面に形成した出入口に取付けられる吊戸式引き戸の開閉動作をガイドするための引き戸用下レールの構造に関するものである。
【背景技術】
【０００２】
従来、ビニルハウスの妻面に形成された出入口には、吊戸式引き戸が設けられることが一般的である。かかる吊戸式引き戸は、前記出入口の上縁に沿って所定長さの上レールをビニルハウスの妻面に配設するとともに、この上レールに前記引き戸の上端に取付けた戸車を係合させて吊り下げた状態でスライドさせる構成となっている。
【０００３】
また、かかる吊戸式引き戸においては、下レールを不要とする場合もあるが、安定したスライド動作を得るために、引き戸の下部をガイドする下レールを配設したものが用いられることも多い（例えば、特許文献１を参照。）。
【０００４】
このように下レールを備えるものであれば、近年の大型化したビニルハウスに設けられた風の影響を受けやすい大型の引き戸であっても、風圧により上レールに偏った荷重が加わってレールが歪んだり破損したりするおそれが少なく、さらに、風を受けたときのガタツキ音などの発生も抑制することも可能である。
【特許文献１】実公平４−４２４５４号公報
【考案の開示】
【考案が解決しようとする課題】
【０００５】
しかし、下レールを配設した場合、ビニルハウスを出入する人や車両に踏まれがちであり、そのために下レールが曲がったり凹んだりすると、引き戸のスライド移動に支障をきたすおそれがあった。
【０００６】
他方、下レールをなくしてしまうと、前述したように大型化した引き戸が受ける風の影響に対処することが難しくなるという問題が残されてしまう。
【０００７】
そこで、本考案では、吊戸式で下レールを備える構造でありながら上記課題を解決することのできるビニルハウスの引き戸用下レール構造を提供することを目的とする。
【課題を解決するための手段】
【０００８】
請求項１記載の本考案では、ビニルハウスの妻面に形成した出入口に取付けられる吊戸式引き戸の開閉動作をガイドするための引き戸用下レールであって、長手方向に連結して前記下レールを構成する複数の分割レールと、各分割レール同士を着脱自在に連結する連結具とを具備することとした。
【０００９】
請求項２記載の本発明では、上記請求項１記載の構成において、少なくとも前記出入口の間口に配置される所定長さの分割レールを備え、当該分割レールを前記出入口の直下に着脱自在に配設したことにも特徴を有する。
【００１０】
請求項３記載の本発明では、上記請求項１又は２に記載の構成において、前記連結具は、前記分割レール同士の突合せ部分を抱持可能とした連結具本体と、この連結具本体内で前記一組の分割レールを押圧保持する固定具とを具備することにも特徴を有する。
【００１１】
請求項４記載の本発明では、上記請求項３記載の構成において、前記連結具本体は、底壁の両端からそれぞれ側壁を立設した略チャンネル形状をなし、一方の側壁に肉厚部を形成するとともに、この肉厚部に所定間隔をあけて設けた螺孔を有し、前記固定具は、前記螺孔に螺合して前記連結具本体内の分割レールを他方の側壁側に押圧可能とした螺軸であることにも特徴を有する。
【考案の効果】
【００１２】
（１）請求項１記載の本考案では、ビニルハウスの妻面に形成した出入口に取付けられる吊戸式引き戸の開閉動作をガイドするための引き戸用下レールであって、長手方向に連結して前記下レールを構成する複数の分割レールと、各分割レール同士を着脱自在に連結する連結具とを具備することとしたために、必要に応じて分割レールを取り外すことが容易となり、例えば下レールが損傷した場合、傷んだ部分の分割レールのみを交換するなどメンテナンスも容易となる。
【００１３】
（２）請求項２記載の本発明では、上記請求項１記載の構成において、少なくとも前記出入口の間口に配置される所定長さの分割レールを備え、当該分割レールを前記出入口の直下に着脱自在に配設したことにより、上記（１）の効果に加え、例えば重量のある車両などが出入する場合は、出入口直下の分割レールを予め外しておくことで、レールが踏みつけられて破損したりすることを防止できる。
【００１４】
（３）請求項３記載の本発明では、上記請求項１又は２に記載の構成において、前記連結具は、前記分割レール同士の突合せ部分を抱持可能とした連結具本体と、この連結具本体内で前記一組の分割レールを押圧保持する固定具とを具備することにより、上記（１）及び（２）の効果に加え、簡単な構成で取扱いが容易でありながら、分割レールを確実に連結することができる。
【００１５】
（４）請求項４記載の本発明では、上記請求項３記載の構成において、前記連結具本体は、底壁の両端からそれぞれ側壁を立設した略チャンネル形状をなし、一方の側壁に肉厚部を形成するとともに、この肉厚部に所定間隔をあけて設けた螺孔を有し、前記固定具は、前記螺孔に螺合して前記連結具本体内の分割レールを他方の側壁側に押圧可能とした螺軸であることとすれば、分割レールを押圧保持する螺軸を取付ける側壁が肉厚となっているので、上記（３）の効果に加えて連結具の強度アップが図れ、耐久性がより向上する。
【考案を実施するための最良の形態】
【００１６】
本考案は、ビニルハウスの妻面に形成した出入口に取付けられる吊戸式引き戸の開閉動作をガイドするための引き戸用下レールであって、この引き戸用下レールを、長手方向に連結して前記下レールを構成する複数の分割レールと、各分割レール同士を着脱自在に連結する連結具とを具備する構成としたものである。
【００１７】
かかる構成により、分割レールを着脱することが容易となるので、所望する分割レールを取り外すことができ、例えば下レールが損傷した場合、傷んだ部分の分割レールのみを交換するなどメンテナンスが容易となるとともに、下レール全体を交換あるいは補修するよりもコスト負担が少なくなる。
【００１８】
分割レールの長さは、適宜設定してよいが、少なくとも一つは、前記出入口の間口幅相当の長さとすることが好ましく、これを出入口直下に配設するとよい。
【００１９】
すなわち、少なくとも前記出入口の間口に配置される所定長さの分割レールを備え、当該分割レールを前記出入口の直下に着脱自在に配設した構成とすることにより、例えば重量のある車両などがビニルハウスを出入する場合、出入口直下の分割レールを予め外しておくことで、レールが踏みつけられて破損したりすることを防止できる。
【００２０】
ところで、前記連結具は、前記分割レール同士の突合せ部分を抱持可能とした連結具本体と、この連結具本体内で前記一組の分割レールを押圧保持する固定具とを具備する構成とすることができる。
【００２１】
すなわち、分割レールを連結具本体内で押圧すれば固定でき、押圧を解除すれば簡単に取り外すことができるのである。このように、簡単な構成で取扱いが容易でありながら、分割レールを確実に連結することも取り外すこともできる。
【００２２】
前記連結具の構成を詳述すると、前記連結具本体は、底壁の両端からそれぞれ側壁を立設した略チャンネル形状をなし、一方の側壁に肉厚部を形成するとともに、この肉厚部に所定間隔をあけて設けた螺孔を有する構成とし、前記固定具は、前記螺孔に螺合して前記連結具本体内の分割レールを他方の側壁側に押圧可能とした螺軸とすればよい。
【００２３】
かかる構成とすることにより、分割レールを押圧保持する螺軸を取付ける側壁が厚肉となっているので連結具自体の強度アップが図れ、耐久性がより向上する。また、前記螺軸は、人力により簡単に操作することのできる蝶ネジなどでよい。
【００２４】
以下、本考案の実施形態について、図面を参照しながらより具体的に説明する。図１は本実施形態に係る引き戸用下レール構造を有するビニルハウスの正面図、図２は同引き戸用下レール構造の説明図、図３は連結具の説明図、図４は連結具本体の斜視図、図５は同側面図である。
【００２５】
図１に示すビニルハウス１は、複数のハウス構築用のパイプ材１０を適宜個所で所定の緊締具により連結し、これらパイプ材１０を組合わせて構築した構造物の外側にビニルシートを被覆して構成しており、かかるビニルハウス１の妻面１１に形成した出入口２に、本実施形態に係る引き戸用下レール構造が適用されている。
【００２６】
前記出入口２は、例えばトラクタなどの農機やトラックなどの車両が通過できる比較的大きな開口に、開口サイズに応じて形成された２枚の吊戸式引き戸３，３をスライド自在に取付けて構成している。
【００２７】
この引き戸３は、縦フレーム３１及び横フレーム３２を組合わせて矩形形状に形成されており、図示するように、上縁には２個の戸車３３，３３を連設している。
【００２８】
そして、前記妻面１１には、前記出入口２の上縁に沿って上レール４を水平に取付けており、この上レール４に前記戸車３３を転動自在に係合することにより引き戸３が懸下される。前記上レール４は、所望する強度を有する金属製であり、その下面には、前記戸車３３がスライド可能で、かつ脱落しない幅でスリットが形成されている。
【００２９】
一方、前記出入口２の下部には、前記上レール４と略同長さとした下レール５が配設されており、この下レール５によって各引き戸３をガイド可能としている。なお、この下レールは、所望する強度を有する金属製であって、略チャンネル形状とした溝形に形成されており、前後側壁の上端に内側に伸延するフランジ部５１ａ，５１ａを形成し、かかるフランジ部５１ａ，５１ａ間で前記引き戸３の裾部をガイドして円滑にスライド移動できるようにしている。
【００３０】
本実施形態において特徴となるのは、前記下レール５を、複数の分割レール５１を長手方向に連結して構成するとともに、各分割レール５１同士を着脱自在に連結する連結具６を具備する構造としたことにある。
【００３１】
本実施形態では、分割レール５１の少なくとも一つは、前記出入口２の間口幅相当の長さＬとし、これを出入口２の直下位置に配設している。そして、これに連続するように２つの分割レール５１，５１を左右に配設している。したがって、下レール５は三分割可能となっている。なお、本実施形態における間口幅相当の長さＬとしては、実際の間口幅よりはやや短く、前記車両やトラクタなどのトレッドよりは長くしている。
【００３２】
このように、少なくとも前記出入口２の間口に配置される所定長さの分割レール５１を備え、当該分割レール５１を前記出入口２の直下に着脱自在に配設した構成とすることにより、例えば重量のある前記車両などがビニルハウス１を出入する場合、出入口２の直下の分割レール５１を図２の一点鎖線で示すように予め外しておけば、これが踏みつけられて破損したりすることを防止できる。
【００３３】
ここで、本実施形態における要部の一つである連結具６の構成について説明する。
【００３４】
連結具６は、図３に示すように、前記分割レール５１同士の突合せ部分を抱持可能とした連結具本体７と、この連結具本体７内で前記一組の分割レール５１，５１を押圧保持する固定具８とを具備する構成としている。
【００３５】
前記連結具本体７は、下レール５（分割レール５１）と相似形状にして、下レール５を内包可能にしており、底壁７１の両端からそれぞれ側壁７２を立設した略チャンネル形状としている。そして、一方の側壁７２に肉厚部７３を長手方向に帯状に形成し、この肉厚部７３に所定間隔をあけて螺孔７４，７４を形成している。７５は前記側壁７２，７２の上端にそれぞれ連設したフランジである。
【００３６】
なお、前記肉厚部７３は、他の部分に比べて２〜３ｍｍ程度厚くすれば良く、ここでは側壁７２の厚みを４ｍｍとし、肉厚部７３の厚みを６ｍｍ、縦方向の幅を１４ｍｍとしている。すなわち、肉厚部７３は連結具本体７の補強部としても機能するものであり、その縦幅Ｄは、側壁７２の高さに対して３０〜５０％の範囲で設定すればよい。
【００３７】
なお、連結具本体７の他の寸法は、ここでは長さを１００ｍｍ、幅を６９ｍｍ、高さを３８．５ｍｍ、フランジ幅を１１ｍｍとしている。
【００３８】
また、本実施形態における前記固定具８は、前記螺孔７４に螺合して前記連結具本体７内の分割レール５１を他方の側壁７２側に押圧可能とした蝶ネジとしており、人力によって前記分割レール５１を連結具本体７内で押圧固定できるとともに、蝶ネジを緩めて押圧を解除すれば、前記分割レール５１を簡単に取り外すことができる。
【００３９】
このように、本実施形態に係る連結具６は、簡単な構成で取扱いが容易でありながら、分割レール５１を確実に連結することも、取り外すことも簡単に行える。
【００４０】
また、前記蝶ネジを取付ける螺孔７４を形成した側壁７２の一部を長手方向に伸びる帯状の厚肉部としているので、連結具本体７を含む連結具６自体の強度アップが図れ、耐久性が著しく向上する。
【００４１】
なお、連結具本体７は、下レール５（分割レール５１）と同じ材料で形成してよいが、強化プラスチックなどの合成樹脂であってもよい。
【００４２】
上述してきた構成により、下レール５は必要に応じて分割レール５１を簡単に取り外すことができ、例えば下レール５が損傷した場合、傷んだ部分の分割レール５１のみを交換すればよいのでメンテナンス性が向上する。
【００４３】
また、前述したように、予め出入口２の直下に配設した分割レール５１を取り外しておくことにより、重量物である農機や車両などの出入りによって下レール５が損傷することもない。
【００４４】
以上、本考案を実施形態を通して説明したが、本考案は上述の実施形態で示した構成に必ずしも限定されることはない。
【図面の簡単な説明】
【００４５】
【図１】本実施形態に係る引き戸用下レール構造を有するビニルハウスの正面図である。
【図２】同引き戸用下レール構造の説明図である。
【図３】連結具の説明図である。
【図４】連結具本体の斜視図である。
【図５】同側面図である。
【符号の説明】
【００４６】
１  ビニルハウス
２  出入口
３  引き戸
４  上レール
５  下レール
６  連結具
７  連結具本体
８  固定具
５１  分割レール
【図１】
0003104012.tif 000003
【図２】
0003104012.tif 000004
【図３】
0003104012.tif 000005
【図４】
0003104012.tif 000006
【図５】
0003104012.tif 000007